(57)【要約】      （修正有）【課題】マイクロ波による金属内の電子の励起を回避し、隣接する係合歯間の隙間距離を増大させ、グリル皿金属体の電荷が過密すぎず、電流により金属本体の一部で放電火花が生じることを防ぐことが可能な点火防止用マイクロ波グリル皿構造を提供する。【解決手段】点火防止用マイクロ波グリル皿構造は、分離して設置される上グリル皿及び下グリル皿を含み、上、下グリル皿の外面には、マイクロ波吸収層が被覆され、左右側辺縁には、それぞれ係合歯列１が設置される。係合歯列１は、複数の係合歯２を含む。個別或は一部の係合歯には、切欠３が設置される。係合歯は、歯部２１と、歯部及びグリル皿本体を接続する基部２２とを含む。歯部２１は、基部２２よりも幅が広い。これにより、外が狭くて奥が広いネッキング構造が形成され、把手の挟持層内の係止リブが基部内に挿入され、外力以外の力で抜けにくい。【選択図】図１
0003210275.tif 000002
【実用新案登録請求の範囲】
【請求項１】
分離して設置される上グリル皿及び下グリル皿を含み、
前記上グリル皿及び前記下グリル皿の両側辺縁には、それぞれ把手が設置され、
一方の把手には弾性係止部材が延出して設置され、他方の把手には弾性係止部材と対応して係止される係止凸部が設置され、
前記弾性係止部材と前記係止凸部との係止により、前記上グリル皿と前記下グリル皿とが一体的に組み立てられ、食品の焼きに適する加熱室が構成され、
前記上グリル皿及び前記下グリル皿の外面にマイクロ波吸収層が被覆される点火防止用マイクロ波グリル皿構造において、
前記上グリル皿及び前記下グリル皿の左右側辺縁には、それぞれ係合歯列が設置され、
前記把手は、前記係合歯列に插入され、
前記係合歯列は、複数の係合歯を含み、
個別或は一部の前記係合歯には、切欠が設置されることを特徴とする点火防止用マイクロ波グリル皿構造。
【請求項２】
前記上グリル皿及び前記下グリル皿の前後側辺縁には、巻き折り部が設置されることを特徴とする請求項１に記載の点火防止用マイクロ波グリル皿構造。
【請求項３】
前記係合歯は、歯部と、前記歯部及びグリル皿本体を接続する基部とを含み、
前記歯部の幅は、前記基部の幅よりも広いことを特徴とする請求項１或は２に記載の点火防止用マイクロ波グリル皿構造。
【請求項４】
前記基部と前記歯部及び前記グリル皿本体との接続部には、面取り部が設置されることを特徴とする請求項３に記載の点火防止用マイクロ波グリル皿構造。
【請求項５】
前記歯部の四角に鋭い角を丸める処理を施すことを特徴とする請求項３に記載の点火防止用マイクロ波グリル皿構造。
【請求項６】
前記係合歯列の前記切欠は、前記係合歯の前記歯部を削ることで形成されることを特徴とする請求項３に記載の点火防止用マイクロ波グリル皿構造。
【請求項７】
前記係合歯列の３番目の歯部及び逆順の３番目の歯部には、前記切欠が設置されることを特徴とする請求項６に記載の点火防止用マイクロ波グリル皿構造。
【考案の詳細な説明】
【技術分野】
【０００１】
本考案は、点火防止用マイクロ波グリル皿構造に関する。
【背景技術】
【０００２】
現在、市販されている大部分のマイクロ波グリル皿は通常、片面で食品を加熱して焼いたり煮たりし、手で食品を裏返す必要がある。従来のマイクロ波グリル皿は、分離して設置される上、下グリル皿を含み、２つのグリル皿の両側辺縁に把手が設置され、上、下把手が弾性シリカゲル製の係止部材と係止凸部との係止により、上グリル皿と下グリル皿とを一体的に組み立て、上グリル皿室と下グリル皿室とを連通させることで食品の焼きに適する加熱室を構成し、焼き中に食品の両面を均一に加熱する（特許文献１参照）。実際に、上、下把手によりグリル皿をしっかりと挟持しやすくなるように、グリル皿の両側を歯状構造に設計するが、点火防止用マイクロ波グリル皿構造を電子レンジにおいて使用する場合、グリル皿の両側の係合歯部の辺縁に点火現象が発生しやすくて、製品の安全性に影響する。
【先行技術文献】
【特許文献】
【０００３】
【特許文献１】中国実用新案第２０１５２０７０７２４８．１号明細書
【考案の概要】
【考案が解決しようとする課題】
【０００４】
本考案の目的は、従来の技術に存在する不足を克服し、取扱いが安全の点火防止用マイクロ波グリル皿構造を提供することにある。
【課題を解決するための手段】
【０００５】
本考案に係る点火防止用マイクロ波グリル皿構造は、分離して設置される上グリル皿及び下グリル皿を含む。上グリル皿及び下グリル皿の両側辺縁には、それぞれ把手が設置される。一方の把手に弾性係止部材が延出して設置され、他方の把手に弾性係止部材と対応して係止される係止凸部が設置される。前記弾性係止部と前記係止凸部との係止により、前記上グリル皿と前記下グリル皿とが一体的に組み立てられ、食品の焼きに適する加熱室が構成される。前記上グリル皿及び前記下グリル皿の外面には、マイクロ波吸収層が被覆される。前記上グリル皿及び前記下グリル皿の左右側辺縁には、それぞれ係合歯列が設置される。前記把手は、前記係合歯列に插入される。前記係合歯列は、複数の係合歯を含む。個別或は一部の前記係合歯には、切欠が設置される。
【０００６】
前記上グリル皿及び前記下グリル皿の前後側辺縁には、巻き折り部が設置される。
【０００７】
前記係合歯は、歯部と、前記歯部及びグリル皿本体を接続する基部とを含む。前記歯部の幅は、前記基部の幅よりも広い。
【０００８】
前記基部と前記歯部及び前記グリル皿本体との接続部には、面取り部が設置される。
【０００９】
前記歯部の四角に鋭い角を丸める処理を施す。
【００１０】
前記係合歯列の前記切欠は、前記係合歯の前記歯部を削ることで形成される。
【００１１】
前記係合歯列の３番目の歯部及び逆順の３番目の歯部には、前記切欠が設置される。
【考案の効果】
【００１２】
本考案では、マイクロ波グリル皿の両側に係合歯が設置され、且つ個別或は一部の係合歯に切欠を切開する。こうすることで、マイクロ波による金属内の電子の励起を回避し、切欠により隣接する係合歯間の隙間距離を増大させ、グリル皿金属体の電荷が過密すぎず、電流により金属本体の一部で放電火花を生じることを防ぐことができる。
本考案の考案者は、グリル皿を１００００個サンプリングして１０万回の信頼性試験を行ったが、点火現象が全く発生しなかった。
【図面の簡単な説明】
【００１３】
【図１】本考案に係る点火防止用マイクロ波グリル皿構造の見取図である。
【考案を実施するための形態】
【００１４】
図１の示すように、本考案に係る点火防止用マイクロ波グリル皿構造は、分離して設置される上グリル皿及び下グリル皿を含む。上グリル皿及び下グリル皿の両側辺縁には、それぞれ把手が設置される。把手の一方には弾性係止部材が延出して設置され、他方には弾性係止部材と対応して係合される係止凸部が設置される。弾性係止部材と係止凸部との係止により、上グリル皿と下グリル皿とが一体的に組み立てられ、これにより食品の焼きに適する加熱室（未図示）が構成される。上、下グリル皿の外面には、マイクロ波吸収層が被覆される。上、下グリル皿の左右側辺縁には、それぞれ係合歯列１が設置される。前記把手は、係合歯列に插入される。前記係合歯列は、複数の係合歯２を含む。個別或は一部の係合歯には、切欠３が設置される。
【００１５】
本考案に係る点火防止用マイクロ波グリル皿構造では、弾性係止部材と係止凸部との係合により、上グリル皿と下グリル皿とが一体的に組み立てられ、上グリル室と下グリル室とを連通して共に食品の焼きに適する加熱室が構成される。このような構造によれば、食品の上下面を同時に焼くことができ、操作性がより良くなることを実現でき、弾性シリカゲル製の係止部材の弾性により、常に上グリル皿と下グリル皿とを弾性的に係止し、加熱室内の食品の厚さにかかわらず、食品の両面を焼くことを保証し、焼き中に食品を均一に加熱することができる。
【００１６】
上、下グリル皿の左右側辺縁に係合歯列が設置されることにより、把手は係合歯列に容易に插入されて密着するようになり、抜けにくくなる。個別或は一部の係合歯に切欠が設置されることで、ここに隣接する２つの係合歯の電気的隙間を増大させ、電気的な破壊のリスクがないため、点火現象を発生させることがない。
【００１７】
前記上グリル皿及び下グリル皿の前後側辺縁には、巻き折り部が設置される。巻き折り部により、グリル皿の鋭利な辺縁で手が切れることを防止するだけでなく、手でグリル皿を握りやすくなる。
【００１８】
前記係合歯は、歯部２１と、歯部及びグリル皿本体を接続する基部２２とを含む。前記歯部は、基部よりも幅が広い。これにより、外が狭くて奥が広いネッキング構造が形成され、把手の挟持層内の係止リブが基部内に挿入され、外力以外の力で抜けにくい。
【００１９】
前記基部と歯部及びグリル皿本体との接続部には、面取り部５が設置される。電荷が鋭い角に集中しやすいため、この構造によりグリル皿の縁部の電荷（の分布）を均一にさせ、点火傾向がない。同様に、前記歯部の四角に鋭い角を丸める処理を施す。
【００２０】
前記係合歯列の切欠は、係合歯の歯部を削ることで形成される。係合歯列の３番目の歯部及び逆順の３番目の歯部に切欠が設置されると点火防止効果が最適であることが検証された。
【図１】
0003210275.tif 000003